(57)【要約】　　　（修正有）【課題】製造サイクルにおける大きい変更なしに、きちんとしたばりのない分離切断部を持つ偏平不整形断面管を製造する方法を提供する。【解決手段】ろう被覆された薄壁の偏平不整形断面管ストランド、例えば押出成形偏平不整形断面管ストランド、特に熱交換器用のろうで被覆された薄壁の多室不整形断面管ストランドから、偏平不整形断面管を分離する方法において、意図した切断個所において分離切断の前に、偏平不整形断面管ストランドにあるろう被覆が機械的に除去される。【選択図】なし【特許請求の範囲】
【請求項１】
少なくとも１つの鋭い分離刃により、意図した切断個所にばりのないきちんとした分離切断を行うことによって、アルミニウム又はアルミニウム合金から成る偏平不整形断面管をろうで被覆された薄壁偏平不整形断面管ストランドから分離する方法において、意図した切断個所において、分離切断前に、偏平不整形管ストランドにあるろう被覆が除去されることを特徴とする、方法。
【請求項２】
意図した切断個所における分離切断のために、２つの分離刃が使用されることを特徴とする、請求項１に記載の方法。
【請求項３】
分離切断のために、偏平不整形断面管ストランドのそれぞれの壁の全厚さを突き抜けない分離刃が使用され、続いて偏平不整形断面管ストランドから偏平不整形断面管を完全に分離するため、偏平不整形断面管ストランドの長手方向に作用する軸線方向引張り力が加えられることを特徴とする、請求項２に記載の方法。
【請求項４】
ろう被覆を機械的に除去するために、切断工具が使用されることを特徴とする、請求項１〜３の１つに記載の方法。
【請求項５】
切断工具が偏平不整形断面管ストランドの壁の中まで侵入し、意図した切断個所に切欠きを生じることを特徴とする、請求項４に記載の方法。
【請求項６】
切欠きが０．３ｍｍまでの深さを持っていることを特徴とする、請求項５に記載の方法。
【請求項７】
偏平不整形断面管ストランドにおけるろう被覆の機械的除去と分離切断が同時に行われるが、意図した異なる切断個所において分離面で行われることを特徴とする、請求項１〜６の１つに記載の方法。
【請求項８】
偏平不整形断面管ストランドにおけるろう被覆の機械的除去と分離切断が、なるべく２つの順次に続く意図した切断個所で行われ、続いて偏平不整形断面管ストランドが、２つの意図した切断個所の間隔に相当する長さだけ、長手方向に動かされ、その際ろう被覆を除去された個所を、次の作業段階で分離切断を行う個所へずらすことを特徴とする、請求項７に記載の方法。
【請求項９】
偏平不整形断面管ストランドにおけるろう被覆の機械的除去と分断切断が順次に行われ、続いて偏平不整形断面管ストランドが、２つの意図した切断個所の間隔に相当する長さだけ、長手方向に動かされることを特徴とする、請求項１〜６に記載の方法。
【請求項１０】
ろう被覆を除去する工具と分離刃が共通な装置に前後して設けられ、従ってこの装置が両方の工具を同時に偏平不整形断面管のストランドの方向へ動かし、そこでこれらの工具の作業が実行されることを特徴とする、請求項９に記載の方法。
【請求項１１】
ろう被覆を除去しかつ分離切断を行うために、同種の切断工具が使用されることを特徴とする、請求項１〜１０の１つに記載の方法。
【発明の詳細な説明】
【０００１】
【発明の属する技術分野】
本発明は、アルミニウム又はアルミニウム合金から成る偏平不整形断面管を、ろうで被覆された薄壁偏平不整形断面管ストランド、例えば押出し成形−偏平不整形断面管ストランド、特にろうで被覆された薄壁の多室偏平不整形断面管ストランドから分離する方法に関する。このような不整形断面管は、熱交換器において使用される。多様な熱交換器を製造するため、ろうで被覆された偏平不整形断面管が、硬ろう付けにより別の部材と結合される。
【０００２】
【従来の技術】
欧州特許第０７１４３４２号明細書から、管部分において長く延びた薄壁の管を分離する方法が公知である。この場合刃により切欠きが管材料に形成され、この切欠きは管の壁の厚さより少し小さい深さを持っている。第２の段階で切欠きが広げられ、続いて引張り力が及ぼされ、この引張り力で管部分が分離される。こうしてばりのない分離切断が行われる。しかしこの方法は、個々の不整形断面管に分離されるろう被覆不整形断面管ストランドでは、切断刃が非常に速く摩耗する、という欠点を持っている。一般に高濃度の珪素を含有するアルミニウム−珪素合金又は珪素合金が、アルミニウム偏平不整形断面管上のろうとして使用される。高い含有量の珪素によって、この被覆は非常に硬くかつ摩耗作用する。分離工具の消耗は被覆なしの場合より著しく速く行われる。その結果工具の価格が高くなる。
【０００３】
良好な分離切断のために、カッタとも称される精密切断刃は常に非常に鋭くなければならない。摩耗した刃先は、きちんとしない分離切断、及び不整形断面管の結合及びそれに続く硬ろう付けの際邪魔になりかつ最悪の場合蜜なろう結合を妨げるばり形成の原因となる。従って摩耗した分離工具は、新しいか又は再び鋭くされた工具と適時に交換せねばならない。分離工具のこの交換及び分離装置における分離工具の万一の位置合わせは、高価な休止時間である。分離工具の速い摩耗を防止するため、偏平不整形断面管ストランド例えば押出し成形不整形断面管ストランドをまず、偏平不整形断面部分に分割し、続いて個別不整形断面管部分をろうで被覆することが可能である。しかし個別不整形断面管部分の取扱いは費用がかかり、ろう被覆の際ろう材及びフラックスが偏平不整形断面管の内部へ達するのを防止できず、これが侵食及びろう腐食の原因となる。
【０００４】
【発明が解決しようとする課題】
本発明の課題は、最初にあげた種類の方法を利用可能にし、この方法において従来技術の欠点が回避され、製造サイクルの大きな変更なしにきちんとしたばりのない分離切断部を持つ偏平不整形断面管が得られるようにすることである。
【０００５】
【課題を解決するための手段】
本発明によれば、この課題は請求項１の特徴によって解決される。本発明による方法では、アルミニウム又はアルミニウム合金から成りろうで被覆された薄肉の偏平不整形断面管ストランド、例えば押出し成形不整形断面ストランドが、均一な間隔で意図した切断個所で分割され、即ち所望の長さの偏平不整形断面管が分離される。意図した各切断個所でまず機械的にろう被覆が除去され、続いて分離切断が行われる。こうして分離切断用切断工具は鋭いままであり、いかなる場合にもきちんとしたばりのない良好な分離切断部を提供する。これは、偏平不整形断面管ストランドの表面が、意図した切断面において、速やかな摩耗の原因となる硬いろう粒子をもはや持たないことによって、可能になる。これらの硬いろう粒子は、一種の削り過程により前もって機械的に除去される。このため多様な工具例えばかき取り工具、フライス工具又は切断工具を使用することができる。
【０００６】
【実施例】
熱交換器用アルミニウム偏平不整形断面管は、０．１〜３ｍｍなるべく０．４ｍｍの壁厚を持っている。ろう被覆を除去する切断工具は、被覆を除去するため、このような偏平不整形断面管ストランドの壁に、被覆の厚さに相当する切欠きを形成する。切欠きの深さは約０．３ｍまでなるべく０．１ｍｍである。もちろん削り過程において、ろう被覆を除去する切断工具は損傷せしめられる。しかしこの工具の刃先の摩耗は、きちんとした良好な切断に対して問題にならない。なぜならば、分離切断は別の鋭い分離刃によっておこなわれるからである。分離刃自体は、非常に僅かな摩耗を受けるだけである。即ち工具の交換は、分離工具の著しく長い使用時間後にはじめて行われる。それによりこの方法では、高価な製造時間は僅かしか失われない。
【０００７】
今まで行われた製造方法及び設けられた製造設備に関係して、方法の種々の実施形態が可能である。
【０００８】
一般にろうで被覆された薄壁の偏平不整形断面管ストランドは、長手方向に繰返して意図した切断個所で区切られ、各切断後偏平不整形断面管が偏平不整形断面管ストランドから分離される。各切断後偏平不整形断面管ストランドは、２つの意図した切断個所の間隔に正確に相当する長さだけ長手方向に移動される。それにより偏平不整形断面管ストランドにおける意図した切断個所は、分離刃が作用する位置へ正確に達する。今や種々のカッタ装置が使用される。例えば２つの分離刃により分離切断が行われ、その際分離刃は順次に偏平不整形断面管の壁へ侵入するか、又は異なる側から同時に偏平不整形断面管の壁を突き抜ける。更に数個の分離刃も使用することができる。この場合分離刃は偏平不整形断面ストランドの壁の全厚さを突き抜けず、壁の厚さより少し小さい値だけ切り込む。この場合偏平不整形断面管の分離は、偏平不整形断面管ストランドの長手方向に作用する引張り力によって行われる。
【０００９】
ろう被覆を除去する工具は、意図した切断個所に関して常に、分離切断前に行われねばならない。反復される製造サイクルにおいて、ろう被覆を除去する過程及び分離過程は、それぞれ時間的に又は前後して行うことができる。例えばろう被覆を除去する工具を、偏平不整形断面管ストランドの方向において分離工具の前に設けることによって、ろう被覆の除去と分離切断が例えば同時に行われる。分離工具は、偏平不整形断面管ストランドに例えば切欠きを生じ、次のサイクルにおいてはじめて、即ち偏平不整形断面管ストランドが長手方向に動かされた後に、この切欠きが分離切断により、偏平不整形断面管ストランドから分離される。このような実施形態は、例えば分離切断が複数の分離刃により行われ、場所的な条件がこれを可能にする時に、好ましい。
【００１０】
別の実施形態では、時間的に順次にただし偏平不整形断面管ストランドの同じ個所で、即ち意図した切断個所で、ろう被覆の除去と分離切断が行われる。そのため好ましいやり方で、両方の工具が同じ装置に取付けられて整列される。これは、偏平不整形断面管ストランドへの送り運動が直線的である時に、例えば往復台とすることができる。偏平不整形断面管ストランドが長手方向に動かされ、意図した切断個所が両方の工具の範囲にある位置へもたらされると、工具の送りが行われ、その際ろう被覆を除去する工具がまず偏平不整形断面管ストランドへ到達し、ろう被覆が除去され、例えば切欠きが偏平不整形断面管ストランドに形成される。続いて切断工具が形成された切欠きへ侵入し、分離切断を行う。
【００１１】
新しい方法は、付加的であるが時間を要しない工程で、与えられた課題を解決する。